(57)【要約】【課題】フェイスアングルの調整を容易に行なうことができ、その調整範囲も大きくすることが可能なゴルフクラブヘッドおよびその製造方法を提供する。【解決手段】ソール部６にヘッド本体２とは別体のフェイスアングル調整部材１０を設け、このフェイスアングル調整部材１０のソール部６からの上下方向の突出量の程度によって、ソール部６を接地させた際のフェイスアングルＦＡを変化させて所定角度に調整する。【選択図】図３
2009136608.tif 000002
【特許請求の範囲】
【請求項１】
ヘッド本体のソール部に、ソール部からの上下方向の突出量の違いによりソール部を接地させた際のフェイスアングルを変化させるフェイスアングル調整部材を設けたゴルフクラブヘッド。
【請求項２】
前記フェイスアングル調整部材が、目標とするフェイスアングルに基づいて設定された突出量を有する状態でソール部に固定されている請求項１に記載のゴルフクラブヘッド。
【請求項３】
前記フェイスアングル調整部材が、ソール部からの上下方向の突出量を調整可能に設けられている請求項１に記載のゴルフクラブヘッド。
【請求項４】
前記フェイスアングル調整部材の比重が、ヘッド本体の比重よりも大きい請求項１〜３のいずれかに記載のゴルフクラブヘッド。
【請求項５】
前記フェイスアングル調整部材が、複数設けられている請求項１〜４のいずれかに記載のゴルフクラブヘッド。
【請求項６】
ヘッド本体のソール部に取付け部を形成し、この取付け部に、ソール部からの上下方向の突出量の違いによりソール部を接地させた際のフェイスアングルを変化させるフェイスアングル調整部材を、目標とするフェイスアングルに基づいて設定された突出量を有する状態でソール部に固定するゴルフクラブヘッドの製造方法。
【請求項７】
ヘッド本体のソール部に取付け部を形成し、この取付け部に、ソール部からの上下方向の突出量の違いによりソール部を接地させた際のフェイスアングルを変化させるフェイスアングル調整部材を、その突出量を調整可能に取付けるゴルフクラブヘッドの製造方法。
【発明の詳細な説明】
【技術分野】
【０００１】
この発明は、ゴルフクラブヘッドおよびその製造方法に関し、さらに詳しくは、フェイスアングルの調整を容易に行なうことができ、その調整範囲も大きくすることが可能なゴルフクラブヘッドおよびその製造方法に関するものである。
【背景技術】
【０００２】
ゴルフクラブヘッドは、ソール部の形状によってグリップを握ってソール部を接地させた際のフェイスアングルが変化する。そこで、例えばゴルフクラブヘッド製造時に、フェイスアングルを所定角度に調整する際には、鋳造等により製造したヘッド本体のソール部を研磨することにより、目標とするフェイスアングルに調整していた。しかしながら、ばらつきなくフェイスアングルを所定角度に調節するには、ソール部を研磨する際に、その研磨量や範囲について高い精度が求められるため、その調整作業は容易ではなかった。また、ソール部の肉厚によって、その研磨量は制約を受けるため、フェイスアングルを大幅に変化させる調整は困難であった。
【０００３】
従来、ソール部にヘッド重心を調整する重心調整部材を設けたゴルフクラブヘッドは、種々提案されているが（例えば、特許文献１、２参照）、フェイスアングルの調整を容易に行なえるゴルフクラブヘッドは提案されていなかった。
【特許文献１】特開昭６３−２５５０７６号公報
【特許文献２】特開２００６−３２０４９３号公報
【発明の開示】
【発明が解決しようとする課題】
【０００４】
本発明の目的は、フェイスアングルの調整を容易に行なうことができ、その調整範囲も大きくすることが可能なゴルフクラブヘッドおよびその製造方法を提供することにある。
【課題を解決するための手段】
【０００５】
上記目的を達成するため本発明のゴルフクラブヘッドは、ヘッド本体のソール部に、ソール部からの上下方向の突出量の違いによりソール部を接地させた際のフェイスアングルを変化させるフェイスアングル調整部材を設けたことを特徴とするものである。
【０００６】
ここで、前記フェイスアングル調整部材が、目標とするフェイスアングルに基づいて設定された突出量を有する状態でソール部に固定することもできる。或いは、前記フェイスアングル調整部材を、ソール部からの上下方向の突出量を調整可能に設けることもできる。また、本発明では、前記フェイスアングル調整部材の比重を、ヘッド本体の比重よりも大きくすることもでき、前記フェイスアングル調整部材を、複数設けることもできる。
【０００７】
本発明のゴルフクラブヘッドの製造方法は、ヘッド本体のソール部に取付け部を形成し、この取付け部に、ソール部からの上下方向の突出量の違いによりソール部を接地させた際のフェイスアングルを変化させるフェイスアングル調整部材を、目標とするフェイスアングルに基づいて設定された突出量を有する状態でソール部に固定することを特徴とするものである。
【０００８】
また、本発明の別のゴルフクラブヘッドの製造方法は、ヘッド本体のソール部に取付け部を形成し、この取付け部に、ソール部からの上下方向の突出量の違いによりソール部を接地させた際のフェイスアングルを変化させるフェイスアングル調整部材を、その突出量を調整可能に取付けることを特徴とするものである。
【発明の効果】
【０００９】
本発明によれば、ヘッド本体のソール部に設けたフェイスアングル調整部材のソール部からの上下方向の突出量の程度によって、ソール部を接地させた際のフェイスアングルを容易に変化させることができる。これにより、フェイスアングルを所定角度に調整する際のばらつきを小さくすることが可能になる。しかも、このフェイスアングル調整部材の突出量は、ソール部の肉厚に制約を受けることがないので、ソール部を研磨する従来の方法に比べて、フェイスアングルの調整範囲を大きくすることができる。
【発明を実施するための最良の形態】
【００１０】
本発明のゴルフクラブヘッドおよびその製造方法を図に示した実施形態に基づいて説明する。
【００１１】
図１〜図４に例示するように、本発明のゴルフクラブヘッド１（以下、ヘッド１という）のヘッド本体２は、金属部材等に中空状に形成されている。ヘッド本体２のフェイス部３、トップ部４、トウ部５、ソール部６、ヒール部７、その他ヘッド本体２を構成する各部位は、それぞれ所定形状に形成されている。ヘッド本体２に形成されたホーゼル８には、シャフト１２が取付けられている。この実施形態のヘッド本体２は、上記した各部位を鋳造等により一体成形した構造になっている。ヘッド本体２の材質としては、ステンレス鋼、チタン、チタン合金等が用いられる。
【００１２】
本発明のヘッド１を構成するヘッド本体２は、複数の部材を組み付けた構造でもよく、また、金属部材やＦＲＰ部材などの異種材質を組み合わせて構成されたものでもよい。また、中空状に限らず、中実状のヘッド本体２でもよい。
【００１３】
ソール部６の中央部には円筒凹状の取付け部９が形成されている。この取付け部９には、ヘッド本体２とは別体のフェイスアングル調整部材１０（以下、調整部材１０という）が、２枚のスペーサ１１を介在させて接着剤や係合機構等の固定手段によって固定されている。この調整部材１０は、下面が円盤状で下方に膨出した形状をしており、この下面がソール部６よりも下方に突出している。尚、本発明では、調整部材１０の下面の形状やソール部６に対する取付け位置、取付け部９の形状は特に限定されないが、調整部材１０の下面を円形状にすることにより、方向性をなくすことができる。
【００１４】
ソール部６の形状は、シャフト１２のグリップを握ってソール部６を接地させた際のフェイス部３の向き（シャフト１２の軸心方向とフェイス面とがなす角度）、いわゆるフェイス角度ＦＡに大きく影響する。即ち、ソール部６のどの位置が接地するかによってフェイス角度ＦＡが変化し、スクエアフェイスの状態（フェイス角度ＦＡ＝０°）やフックフェイスの状態、スライスフェイスの状態に変化する。
【００１５】
そこで、本発明ではソール部６に、ソール部６からの上下方向の突出量Ｈの違いによって、フェイスアングルＦＡを変化させる調整部材１０を設けている。図１〜図４では調整部材１０が、突出量Ｈを所定量ｈ１に設定されてソール部６に固定されている場合を例示しており、調整部材１０とソール部６の少なくとも１点とが接地して、フェイスアングルＦＡが目標とする所定角度になっている。尚、図２、図４の一点鎖線はシャフト１２の軸心方向を示している。
【００１６】
この調整部材１０の突出量Ｈは、目標とするフェイスアングルＦＡに基づいて設定される。例えば、図６に例示するように、３枚の環状のスペーサ１１を介在させて、目標とするフェイスアングルＦＡに基づいて設定された突出量Ｈを有する状態で、調整部材１０が取付け部９に固定されている。図６に例示したように、調整部材１０の突出量Ｈを所定量ｈ２に設定した場合には、調整部材１０とソール部６の少なくとも１点とが接地して、図７に例示するように、図２に例示したフェイスアングルＦＡとは異なるフェイスアングルＦＡになる。尚、図７の一点鎖線はシャフト１２の軸心方向を示している。
【００１７】
調整部材１０の突出量Ｈは、プラス値だけでなく、図８に例示するようにマイナス値、或いはゼロの場合もある。このように、調整部材１０の突出量Ｈを任意のプラス値からマイナス値の範囲で調整にして、調整部材１０をソール部６から突出状態、或いは非突出状態で固定することができる。
【００１８】
このヘッド１の製造方法は以下のとおりである。図５に例示するように、ヘッド本体２のソール部６に円筒凹状の取付け部９を形成しておく。この取付け部９に、目標となるフェイス角度ＦＡに基づいて設定された突出量Ｈを有するように調整部材１０を取付ける。調整部材１０の突出量Ｈは、スペーサ１１の有無、スペーサ１１の厚さ、スペーサ１１の積層数、積層するスペーサ１１の厚さの組合せ等によって、設定値に調整することができる。本発明では、スペーサ１１を用いて突出量Ｈを調整するのではなく、調整部材１０を異なる突出長さを有する別の調整部材１０に付け替えることにより、設定された突出量Ｈにすることもできる。
【００１９】
図５では、２枚の環状のスペーサ１１を介在させて、調整部材１０を取付け部９に、接着剤等によって恒久的に固定している。これにより、ヘッド１のソール部６を接地させた際のフェイスアングルＦＡは、目標の所定角度になる。
【００２０】
製造したヘッド本体２のソール部６の形状のままで、目標とするフェイスアングルＦＡが得られる場合には、図７に例示するように、突出量Ｈをマイナス値、或いはゼロにして、調整部材１０を取付け部９に固定する。
【００２１】
この製造方法およびヘッド１によれば、１種類のヘッド本体２であっても、調整部材１０とスペーサ１１を用いることにより、調整部材１０の突出量Ｈを変化させることができる。即ち、ソール部６に設けた調整部材１０のソール部６からの上下方向の突出量Ｈの程度（大小）によって、ソール部６を接地させた際のフェイスアングルＦＡを容易に変化させることができる。
【００２２】
したがって、ソール部６を研磨する従来の方法に比して、フェイスアングルＦＡを所定角度に調整する際のばらつきを小さくすることが可能になる。しかも、調整部材１０の突出量Ｈは、ソール部６の肉厚に制約を受けることがないので、ソール部６を研磨する場合に比して、フェイスアングルＦＡの調整範囲を大きくすることができる。
【００２３】
調整部材１０は、図９に例示するように、ソール部６からの上下方向の突出量Ｈを調整可能にソール部６に設けることもできる。このヘッド１では、取付け部９の内周面および調整部材１０の外周面に、それぞれネジ溝９ａ、１０ａが形成されている。このネジ溝９ａ、１０ａを螺合させるとともに、環状のスペーサ１１を介在させて調整部材１０が取付け部９に取付けられている。このヘッド１では、調整部材１０が接着剤等によって取付け部９に恒久的に固定されず、ネジの締結力によって着脱可能に固定されている。
【００２４】
このヘッド１の製造方法は以下のとおりである。図１０に例示するように、ヘッド本体２のソール部６に円筒凹状の取付け部９を形成しておく。この取付け部９に、調整部材１０を、互いのネジ溝９ａ、１０ａを螺合させて取付ける。これにより、調整部材１０は、その突出量Ｈを調整可能に取付け部９に取付けられることになる。調整部材１０の突出量Ｈは、スペーサ１１の有無、スペーサ１１の厚さ、スペーサ１１の積層数、積層するスペーサ１１の厚さの組合せ等によって、設定値に調整することができる。
【００２５】
図１０では、１枚のスペーサ１１を介在させて、調整部材１０を取付け部９に取付けている。これにより、このヘッド１のソール部６を接地させた際のフェイスアングルＦＡは、目標の所定角度になる。
【００２６】
この製造方法およびヘッド１によれば、図１〜図４に例示したヘッド１と同様の効果を有するとともに、ヘッド１の製造後であっても、自由に調整部材１０の突出量Ｈを設定値に調整することができる。
【００２７】
尚、図１〜４に例示したヘッド１においても、調整部材１０および取付け部９にそれぞれネジ溝１０ａ、９ａを設けるようにして互いを螺合させて、接着剤等により恒久的に固定することもできる。
【００２８】
ヘッド１の重心を低くしたい場合には、調整部材１０の比重を、ヘッド本体２の比重よりも大きくするとよい。例えば、調整部材１０として比重が１０以上１８以下の高比重材を用いると、少量の調整部材１０を用いるだけでヘッド１の重心を低くすることができる。このような高比重材としてはタングステン合金等を例示することができる。
【００２９】
実施形態では、調整部材１０の数は１つであるが、複数の調整部材１０を設けることもできる。複数の調整部材１０を、ソール部６から下方に突出して設けた場合は、これら複数の調整部材１０のみが主に接地し、或いは、これら複数の調整部材１０とともに、ソール部６の１点が主に接地するようになる。これによれば、ソール部６の磨耗や損傷を抑えることができ、調整部材１０を交換することにより、ヘッド１（ヘッド本体２）の耐用期間を長くすることが可能になる。
【００３０】
本発明のヘッド１を適用できるクラブの種類は限定されないが、特にソール部６の面積が大きい種類のクラブ、例えば、フェアウエイウッドやユーティリティクラブには好適である。
【図面の簡単な説明】
【００３１】
【図１】本発明のゴルフクラブヘッドを例示する正面図である。
【図２】図１の平面図である。
【図３】図２のＡ−Ａ断面図である。
【図４】図１の底面図である。
【図５】図１のゴルフクラブヘッドの製造手順を例示する断面図である。
【図６】図３のフェイスアングル調整部材のソール部からの突出量を変えた場合のゴルフクラブヘッドの平面図である。
【図７】図６のＢ−Ｂ断面である。
【図８】図３のフェイスアングル調整部材のソール部からの突出量をさらに変えた場合のゴルフクラブヘッドの断面図である。
【図９】図３のフェイスアングル調整部材の変形例を示すゴルフクラブヘッドの断面図である。
【図１０】図９のゴルフクラブヘッドの製造手順を例示する断面図である。
【符号の説明】
【００３２】
１  ゴルフクラブヘッド
２  ヘッド本体
３  フェイス部
４  トップ部
５  トウ部
６  ソール部
７  ヒール部
８  ホーゼル
９  取付け部
９ａ  ネジ溝
１０  フェイスアングル調整部材
１０ａ  ネジ溝
１１  スペーサ
１２  シャフト
【図１】
2009136608.tif 000003
【図２】
2009136608.tif 000004
【図３】
2009136608.tif 000005
【図４】
2009136608.tif 000006
【図５】
2009136608.tif 000007
【図６】
2009136608.tif 000008
【図７】
2009136608.tif 000009
【図８】
2009136608.tif 000010
【図９】
2009136608.tif 000011
【図１０】
2009136608.tif 000012